(57)【要約】【課題】ビームの明度を均一に射出できるバックライトモジュールを提供する。【解決手段】本考案のバックライトモジュールは、光源および導光板を含む。該導光板は入光面を有する。該光源が複数の直線配列された発光ダイオードを有する。前記光源が導光板の入光面の一側に設置される。該導光板の入光面上に複数の透過レンズを設置し、該透過レンズが入光面の発光ダイオード間の隙間の位置に均一配置される。本考案のバックライトモジュールは、導光板の入光面の複数の透過レンズを設置することによって、導光板の入光面に投射させるビームが透過レンズの集光作用の下、屈折を生じ、ビームの一部が導光板の明度が低い位置に集光され、導光板に進入するビームの明度が均一にされ、該バックライトモジュールの射出ビームの明度が均一になる。【選択図】図４
0003139069.tif 000002
【実用新案登録請求の範囲】
【請求項１】
入光面を有する導光板と、
導光板の入光面の一側に設置され、直線に沿って配列される複数の発光ダイオードを有する光源と、
を含み、該導光板の入光面上に複数の透過レンズを設置し、該透過レンズが入光面の発光ダイオードの間の隙間の位置に均一に配置されることを特徴とするバックライトモジュール。
【請求項２】
前記透過レンズの凸面が前記光源に向いている請求項１記載のバックライトモジュール。
【請求項３】
前記導光板が更に、底面と出光面を有し、該バックライトモジュールが更に、反射板と、拡散板と、増光片とを有し、反射板が導光板の下方に位置し、且つ導光板の底面に平行に設置され、拡散板および増光片がいずれも導光板の出光面と平行に導光板の上方に設置され、且つ増光片が拡散板の上方に位置する請求項２記載のバックライトモジュール。
【請求項４】
前記導光板の底面と入光面との挟み角が鋭角であり、導光板の出光面と入光面が垂直に設置される請求項１記載のバックライトモジュール。
【考案の詳細な説明】
【技術分野】
【０００１】
本考案は、バックライトモジュールに関し、特に明度が均一な側面発光式バックライトモジュールに関する。
【背景技術】
【０００２】
側面発光式のバックライトモジュールは液晶ディスプレイおよびスキャナー等の電子設備中に広く応用されている。バックライトモジュールは外部光源が発生するビームを液晶ディスプレイまたはスキャナーに導き、表示またはスキャン機能を実現する。
【０００３】
図１は、従来の側面発光式バックライトモジュール１’の構造説明図である。該バックライトモジュール１’が光源１０’と、反射板２０’、導光板３０’と、拡散板４０’と、増光片５０’とを有する。該光源１０’は、複数の直線配列された発光ダイオード１１’から組成される。導光板３０’は楔形を呈し、入光面３１’と、傾斜した底面３２’と、出光面３３’とを有する。光源１０’が導光板３０’の入光面３１’に対応して設置され、反射板２０’が導光板３０’の下方に位置し、且つ導光板３０’の底面３２’に平行に設置され、拡散板４０’および増光片５０’が順に導光板３０’上方に設置され、且つ導光板３０’の出光面３３’に平行設置される。光源１０’が発射するビームが導光板３０’の入光面３１’から導光板３０’内に進入する。導光板３０’に進入したビームが反射板２０’の反射および導光板３０’の複数回の反射を経由した後、導光板３０’の出光面３３’から射出される。導光板３０’から射出したビームが拡散板４０’を経て拡散した後、増光片５０’により明度を向上し、増光片５０’から射出されたビームが液晶ディスプレイまたはスキャナーに向けて投射される。
【０００４】
図２において、該バックライトモジュール１’の光源１０’が複数の発光ダイオード１１’から組成されるので、発光ダイオード１１’の明度分布特性が導光板３０’に進入したビームは、発光ダイオード１１’の垂直射出方向の明度が比較的高く、発光ダイオード１１’の傾斜射出方向の明度が比較的低くなり、光源１０’から導光板３０’に入射したビームの明度分布が不均一になり且つ明暗交替の状態を低減し、液晶ディスプレイまたはスキャナーの表示効果に影響を及ぼす。
【特許文献１】特開２００７−７３５２２号公報
【考案の開示】
【考案が解決しようとする課題】
【０００５】
本考案の目的は、従来の技術に存在する欠陥を克服するようビームの明度を均一に射出できるバックライトモジュールを提供することである。
【課題を解決するための手段】
【０００６】
上記の目的を達成するため、本考案のバックライトモジュールは、光源および導光板を含む。該導光板は入光面を有する。該光源が複数の直線配列された発光ダイオードを有する。前記光源が導光板の入光面の一側に設置される。該導光板の入光面上に複数の透過レンズを設置し、該透過レンズが入光面の発光ダイオード間の隙間の位置に均一配置される。
【考案の効果】
【０００７】
上記のように、本考案のバックライトモジュールは、導光板の入光面の複数の透過レンズを設置することによって、導光板の入光面に投射させるビームが透過レンズの集光作用の下、屈折を生じ、ビームの一部が導光板の明度が低い位置に集光され、導光板に進入するビームの明度が均一にされ、該バックライトモジュールの射出ビームの明度が均一になる。
【考案を実施するための最良の形態】
【０００８】
図３において、本考案のバックライトモジュール１が光源１０と、反射板２０と、導光板３０と、拡散板４０と、増光片５０とを含む。
【０００９】
図３、図４において、光源１０は、複数の発光ダイオード１１が直線に沿って配列されてなる。導光板３０は楔形を呈し、入光面３１と、底面３２と、出光面３３とを有する。光源１０は導光板３０の入光面３１の一側に対応設置される。導光板３０の底面３２が傾斜面であり、それと入光面３１との挟み角が鋭角である。導光板３０の出光面３３と入光面３１が垂直に設置される。前記反射板２０が導光板３０の下方に位置し、且つ導光板３０の底面３２に平行に設置される。拡散板４０が導光板３０の上方に位置し、且つ導光板３０の出光面３３に平行設置される。導光板３０の入光面３１上に発光ダイオード１１に向けて凸面を有する複数の透過レンズ６０を設置し、且つ透過レンズ６０が入光面３１の発光ダイオード１１の間の隙間の位置に均一配置される。
【００１０】
発光ダイオード１１から発射されたビームが導光板３０の入光面３１を経由して導光板３０に進入する時、透過レンズ６０の集光作用によって、透過レンズ６０のビームに屈折を発生させ、屈折した後のビームが導光板３０の発光ダイオード１１の間の位置に集光され、該位置のビームの明度を増加させ、導光板３０が発光ダイオード１１上方の位置にあるビームの明度を対応して減少させ、導光板３０に進入するビームが透過レンズ６０を経て屈折した後の明度が均一になる。導光板３０のビームの一部が導光板３０の全反射作用を経た後、導光板３０の出光面３３から射出され、拡散板４０に投射され、ビームのもう一部が導光板３０の底面３２から射出され、反射板２０により反射された後、導光板３０の出光面３３から射出され、拡散板４０に投射される。該ビームが拡散板４０を経て拡散された後、増光片５０に投射され、増光片５０を経た後のビームが液晶ディスプレイまたはスキャナーに投射され、液晶ディスプレイの表示機能またはスキャナーのスキャン機能を達成する。
【００１１】
本考案のバックライトモジュール１は、導光板３０の入光面３１に設置された複数個の透過レンズ６０によって、導光板３０の入光面３１に投射させるビームが透過レンズ６０の集光作用の下、屈折を生じ、ビームの一部が導光板３０の明度が低い位置に集光され、導光板３０に進入するビームの明度が均一にされ、該バックライトモジュール１の射出ビームの明度が均一になる。
【００１２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１３】
【図１】従来のバックライトモジュールの側面説明図である。
【図２】従来のバックライトモジュールの光源が発射するビームが導光板の光面を経由して導光板内に進入する説明図である。
【図３】本考案のバックライトモジュールの側面説明図である。
【図４】本考案のバックライトモジュールの光源が発射するビームが導光板を経由して導光板内に進入する説明図である。
【符号の説明】
【００１４】
〔本考案〕
１  バックライトモジュール
１０  光源
１１  発光ダイオード
２０  反射板
３０  導光板
３１  入光面
３２  底面
３３  出光面
４０  拡散板
５０  増光片
６０  透過レンズ
〔従来技術〕
１’  バックライトモジュール
１０’  光源
１１’  発光ダイオード
２０’  反射板
３０’  導光板
３１’  入光面
３２’  底面
３３’  出光面
４０’  拡散板
５０’  増光片
【図１】
0003139069.tif 000003
【図２】
0003139069.tif 000004
【図３】
0003139069.tif 000005
【図４】
0003139069.tif 000006